(57)【特許請求の範囲】
【請求項１】
マグネットケース（９９）とこのマグネットケースに固定された軸（８）と軸方向界磁型マグネット（Ｍ）と前記マグネットケースと一体のターンテーブル（Ｔ）を備えたロータと、このロータに軸方向空隙（Ａ）を介して臨ませた複数個の空心電機子コイル（３１）と、この空心電機子コイルを載置したステータ（１）とを備えて軸方向空隙型に構成したロータ露出型モータであって、前記ロータは前記ターンテーブルから前記ステータ（１）方向に垂下したスカート部（９９ｂ）を有し、前記スカート部（９９ｂ）は前記ターンテーブル（Ｔ）と一体成形されており、前記ステータ（１）は板状のステータベースとその一面に設けられた回路基板からなり、その回路基板上に空心電機子コイルが取り付けられ、この空心電機子コイル（３１）はステータベースの中心に設けられた軸受けと共に樹脂（５）でステータベースと一体化され、前記樹脂は空心電機子コイルの外周側を覆い、ロータ及びステータが露出した部分の前記スカート部先端とステータにより前記軸方向空隙（Ａ）より小さい間隙（ＢＢ）が軸方向に形成されると共に、前記スカート部と空心電機子コイルの外周を覆った樹脂により前記軸方向空隙（Ａ）より小さい間隙（ＢＢ）が径方向に形成されたことを特徴とするロータ露出型モータ。
【発明の詳細な説明】
【０００１】
【発明の属する技術分野】
この発明は、ロータ露出型モータの改良に係り特にＣＤＲＯＭスピンドルモータなどに用いて好適なもので、磁気回路空隙に異物の侵入を防止できるようにしたものに関する。
【０００２】
【従来の技術】
従来より、ＣＤＲＯＭスピンドルモータとして、図４の要部断面図で示すようにロータ部分Ｒを外方に露出させないように外側ハウジングＨで覆うようにしたものがある。
しかしながら、最近の薄型化志向に伴い、厚みが問題となる外側ハウジングを削除した、ロータ露出型スピンドルモータにせざるを得ない。
このロータ露出型モータとしては、図５に示すようなものが一般的である。すなわち、軸受ホルダ６６を一体化したブラケット１１に、所定の回路パターンを形成した回路基板２２を配し、この回路基板２２に複数個の空心電機子コイル３、３を固着し、界磁マグネットＭＭを一体化したヨークを兼ねるマグネットケースＹを軸Ｓに圧入等によって固着してなるロータＲを空心電機子コイル３３に対し所定の空隙Ａを介して前記軸受ホルダ６６に配した軸受４４に回転自在に支承させてなるものである。
【０００３】
【発明が解決しようとする課題】
ところが、このような構造のモータは、ロータが外方に直接露出しているため、また、界磁マグネット自体が強力な希土類製を使用せざるを得ないため、鉄粉などの磁性粉を吸引しやすく、この鉄粉などの異物が空隙に侵入してロックしてしまうおそれがある。
【０００４】
この発明の目的は、ロータ露出型モータにおいて、簡単な構成で磁気回路を構成する空隙に異物が侵入するのを防止しょうとするものである。
【０００５】
上記課題を解決するには、請求項１記載の発明のように、マグネットケース（９９）とこのマグネットケースに固定された軸（８）と軸方向界磁型マグネット（Ｍ）と前記マグネットケースと一体のターンテーブル（Ｔ）を備えたロータと、このロータに軸方向空隙（Ａ）を介して臨ませた複数個の空心電機子コイル（３１）と、この空心電機子コイルを載置したステータ（１）とを備えて軸方向空隙型に構成したロータ露出型モータであって、前記ロータは前記ターンテーブルから前記ステータ（１）方向に垂下したスカート部（９９ｂ）を有し、前記スカート部（９９ｂ）は前記ターンテーブル（Ｔ）と一体成形されており、前記ステータ（１）は板状のステータベースとその一面に設けられた回路基板からなり、その回路基板上に空心電機子コイルが取り付けられ、この空心電機子コイル（３１）はステータベースの中心に設けられた軸受けと共に樹脂（５）でステータベースと一体化され、前記樹脂は空心電機子コイルの外周側を覆い、ロータ及びステータが露出した部分の前記スカート部先端とステータにより前記軸方向空隙（Ａ）より小さい間隙（ＢＢ）が軸方向に形成されると共に、前記スカート部と空心電機子コイルの外周を覆った樹脂により前記軸方向空隙（Ａ）より小さい間隙（ＢＢ）が径方向に形成されたことにより達成できる。
【０００６】
請求項１の発明では、軸受と共に軸受ホルダを樹脂で一体成形しているので、ステータベースに対して軸受項の直角度は成形金型で極めて高精度に仕上げることができる。さらに、各間隙は前記軸方向空隙（Ａ）より小にしたので、空隙Ａに到達する鉄粉は、間隙ＢＢを通過するような小さいものとなり、仮にこのような小さなものは空隙Ａには入り込んでもロータをロックさせてしまうおそれはない。
【０００７】
【発明の実施の形態】
次にこの発明のロータ露出型モータとして軸方向空隙型とした第１の実施例の構成を図１に示す要部縦断面図で説明する。
同図において、１は珪素鋼板からなるステータベースで、中央に複数個の補強用支骨１ａ‥‥を立ち上げると共に上面にフレキシブル基板からなる薄手の回路基板２を貼着してある。この回路基板２の上面には、さらに複数個の空心電機子コイル３‥‥が載置され、その端末は図示しないが、所定の回路パターンに半田結線されるようになっている。
前記補強用支骨１ａ‥‥の内側には、中空軸受４が格納されて樹脂５によって前記空心電機子３‥‥共に、一体に軸受ホルダ６として設けられている。また同じ樹脂５によって最外側に本発明の特徴である壁７が一体にリング状に立設されている。
このように樹脂で中空軸受４を含めて空心電機子コイル３‥‥共に軸受ホルダ６を一体成形すると、ステータ１に対する中空軸受４の直角度は成形金型で極めて高精度に仕上げることができる。
このようなステータに組み合わせるロータＲは、前記中空軸受４に回動自在に支承された軸８と、この軸８に固着したヨークを兼ねるマグネットケース９とこのマグネットケース９に固定され、前記空心電機子コイルに所定の空隙Ａを介して臨ませた界磁マグネットＭからなる。マグネットケース９の外周はステータ側の壁７より内側となるように前記空隙Ａより小となる間隙Ｂを介して配されるようになっている。
【０００８】
このようにすると、空隙Ａは径方向から壁７によって見えなくなり、鉄粉などが界磁マグネットＭの漏洩磁束に吸い寄せられて空隙Ａには入りこまなくなる。
【０００９】
なお、壁７は想像線で示すように上方に延設してメディア載置用ターンテーブルＴに一部が遊嵌されるようにしてもよい。
【００１０】
図２は第２の実施例の要部断面図であって、第１の実施例と同様な部材、部位は同一符号を付してその説明を省略している。
ロータＲからマグネットケース９９をスカート状９９ａにたらしてステータを構成する電機子コイル３１の外周の樹脂部分を覆うようにしたもので、空隙Ａとの関係は、空心電機子コイル３１の外周部に形成された樹脂５とスカート部９９ａによる間隙およびステータベース１とスカート部９９ａの先端による空隙ＢＢをやはり空隙Ａより小にしてある。
このようにすれば、空隙Ａに到達する鉄粉は、間隙ＢＢを通過するような小さいものとなり、仮に空隙Ａに入り込んでもロータをロックさせてしまうおそれはなく、マグネットケース９９はマグネットＭを大きくカバーするので漏洩磁束はほとんど外方に出なくなり鉄粉などを吸引するおそれはない。
また、ロータ側からスカート部をおろす変形例としては、図３に示すように、ロータとメディアチャック用ターンテーブルＴを一体とし、このターンテーブルよりスカート部９９ｂを降ろして前記と同様にしてもよい。この図３も第１、第２の実施例と同様な部材、部位は同一符号を付してその説明を省略している。
この図３のようなスカート部９９ｂは、ターンテーブルＴと一体成形によって構成されているので、特別に部材を配慮しなくて済み、ここでも空隙Ａに到達する鉄粉は、各間隙ＢＢを通過するような小さいものとなり、ロータをロックさせてしまうおそれはない。
【００１１】
【発明の効果】
この発明は、上記のようにスカート部とステータを一体化する樹脂との間隙あるいはスカート部とステータとの間隙でラビリンスを簡単に構成でき、各間隙を軸方向空隙Ａより小にしてあるので、磁気回路を構成する軸方向空隙に鉄粉などの異物が侵入するのを防止できる。したがって外側ハウジングなどの部材が不要となるため、低姿勢のロータ露出型モータを提供できる。
【図面の簡単な説明】
【図１】本発明のロータ露出型モータの一実施例の要部断面図である。
【図２】本発明の同モータの他の実施例の要部断面図である。
【図３】同変形例の本発明の同モータの他の実施例の要部断面図である。
【図４】従来の一般的なスピンドルモータの要部断面図である。
【図５】従来のロータ露出型モータの要部断面図である。
【符号の説明】
１  ステータベース
１ａ  補強用支骨
２  回路基板
３、３１  空心電機子コイル
５  樹脂
４  中空軸受
６  軸受ホルダ
７  壁
８  軸
９、９９  マグネットケース
９９ａ、９９ｂ  スカート部
Ｍ  マグネット
Ａ  空隙
Ｂ、ＢＢ  間隙
【図１】
0003594398.tif 000002
【図２】
0003594398.tif 000003
【図３】
0003594398.tif 000004
【図４】
0003594398.tif 000005
【図５】
0003594398.tif 000006